(57)【要約】【課題】  省資源化を図ることが可能な照明器具取付装置、ＬＥＤ照明器具用キット、およびＬＥＤ照明器具を提供すること。【解決手段】  照明器具取付装置３００は、天井８００に設けられた給電コンセント８０１に固定するための受電フック３１５と、第１方向を軸方向とする円柱状の電源部ケース３１０と、ＬＥＤ照明器具１０１に設けられた器具側係止部２１０に係止し、電源部ケース３１０の上記第１方向における受電フック３１５寄り部分から突出するユニット側係止部３２０と、給電コンセント８０１から受電フック３１５を介して入力された交流電力を、ＬＥＤランプを点灯させうる直流電力に変換し出力するとともに、電源部ケース３１０の上記第１方向における受電フック３１５とは反対寄り部分に収容されたＬＥＤランプ用電源部と、を備える。【選択図】  図２
2013225438.tif 000002
【特許請求の範囲】
【請求項１】
天井に設けられた給電コンセントに固定するための固定手段と、
第１方向を軸方向とする円柱状の電源部ケースと、
ＬＥＤ照明器具に設けられた器具側係止部に係止し、上記電源部ケースの上記第１方向における上記固定手段寄り部分から突出するユニット側係止部と、
上記給電コンセントから上記固定手段を介して入力された交流電力を、ＬＥＤランプを点灯させうる直流電力に変換し出力するとともに、上記電源部ケースの上記第１方向における上記固定手段とは反対寄り部分に収容されたＬＥＤランプ用電源部と、
を備えることを特徴とする、照明器具取付装置。
【請求項２】
上記ユニット側係止部は、上記給電コンセントに取り付けられた状態で天地方向となる上記第１方向に対して直角である第２方向に出没自在とされた１対の係止片を有する、請求項１に記載の照明器具取付装置。
【請求項３】
上記各係止片は、上記第１方向に並んだ２つの係止爪を有する、請求項２に記載の照明器具取付装置。
【請求項４】
上記ユニット側係止部は、上記１対の係止片を突出状態とさせる弾性力を付与する弾性力付与手段を有する、請求項２または３に記載の照明器具取付装置。
【請求項５】
上記各係止片は、上記弾性力付与手段の弾性力に抗して没入状態とするための操作用突起を有する、請求項４に記載の照明器具取付装置。
【請求項６】
上記電源部ケースには、上記第１方向視において上記１対の係止片を露出させる１対の操作用溝が形成されている、請求項２ないし５のいずれかに記載の照明器具取付装置。
【請求項７】
上記電源部ケースから上記第１方向において上記固定手段とは反対側に突出するＬＥＤランプ接続用ケーブルを有する、請求項２ないし６のいずれかに記載の照明器具取付装置。
【請求項８】
請求項１ないし７のいずれかに記載の照明器具取付装置と、
上記照明器具取付装置からの直流電力によって点灯する複数のＬＥＤチップを有するＬＥＤランプと、
を備えることを特徴とする、ＬＥＤ照明器具用キット。
【請求項９】
上記複数のＬＥＤチップは、円環状に配置されている、請求項８に記載のＬＥＤ照明器具用キット。
【請求項１０】
上記ＬＥＤランプは、各々に上記複数のＬＥＤチップの一部ずつが搭載された複数の導通支持部材を備える、請求項９に記載のＬＥＤ照明器具用キット。
【請求項１１】
上記各導通支持部材は、平面視細長形状の搭載面を有する、請求項１０に記載のＬＥＤ照明器具用キット。
【請求項１２】
上記複数のＬＥＤチップは、上記搭載面の長手方向に沿って並んでいる、請求項１１に記載のＬＥＤ照明器具用キット。
【請求項１３】
上記複数の導通支持部材は、円環をなす配置とされている、請求項１２に記載のＬＥＤ照明器具用キット。
【請求項１４】
上記各導通支持部材は、金属からなり上記搭載面を有する基材、上記搭載面を覆う絶縁層、およびこの絶縁層上に形成された配線パターン、を有する、請求項１３に記載のＬＥＤ照明器具用キット。
【請求項１５】
上記各導通支持部材は、上記配線パターンのうち、上記ＬＥＤチップが搭載された領域を露出させ、それ以外の領域を覆うレジスト層を有する、請求項１４に記載のＬＥＤ照明器具用キット。
【請求項１６】
上記レジスト層は、白色である、請求項１５に記載のＬＥＤ照明器具用キット。
【請求項１７】
上記ＬＥＤランプは、各々が、上記各ＬＥＤチップ、このＬＥＤチップを収容するケースおよびこのケースから露出する実装用端子を有する複数のＬＥＤモジュールを備える、請求項１１ないし１６のいずれかに記載のＬＥＤ照明器具用キット。
【請求項１８】
上記各ＬＥＤモジュールは、上記ＬＥＤチップを覆うとともに、上記ＬＥＤチップからの光によって励起されることにより上記ＬＥＤチップからの光とは異なる波長の光を発する蛍光材料を含む蛍光樹脂を有する、請求項１７に記載のＬＥＤ照明器具用キット。
【請求項１９】
上記複数のＬＥＤチップは、上記導通支持部材に直接搭載されている、請求項１１ないし１６のいずれかに記載のＬＥＤ照明器具用キット。
【請求項２０】
上記ＬＥＤランプは、上記ＬＥＤチップを覆うとともに、上記ＬＥＤチップからの光によって励起されることにより上記ＬＥＤチップからの光とは異なる波長の光を発する蛍光材料を含む蛍光樹脂を有する、請求項１９に記載のＬＥＤ照明器具用キット。
【請求項２１】
上記各導通支持部材は、上記搭載面の長手方向に直角である断面形状が一様であり、
上記ＬＥＤランプは、各々が上記各導通支持部材を収容する複数の透光チューブを備える、請求項１１ないし２０のいずれかに記載のＬＥＤ照明器具用キット。
【請求項２２】
上記各透光チューブは、上記ＬＥＤチップからの光を拡散させつつ透過させる、請求項２１に記載のＬＥＤ照明器具用キット。
【請求項２３】
上記各導通支持部材は、上記各透光チューブの長手方向視において中心に対して外側にシフトした位置に設けられている、請求項２１または２２に記載のＬＥＤ照明器具用キット。
【請求項２４】
上記各透光チューブは、上記導通支持部材の短手方向両端縁に接する１対の固定リブを有する、請求項２３に記載のＬＥＤ照明器具用キット。
【請求項２５】
隣り合う上記透光チューブどうし、および隣り合う上記導通支持部材どうしを連結する連結具を備える、請求項２１ないし２４のいずれかに記載のＬＥＤ照明器具用キット。
【請求項２６】
上記導通支持部材および上記透光チューブは、それぞれの長手方向両端面が互いに傾いている、請求項２５に記載のＬＥＤ照明器具用キット。
【請求項２７】
上記導通支持部材および上記透光チューブは、それぞれの長手方向両端面が互いに平行であり、
上記連結具は、隣り合う上記透光チューブどうし、および隣り合う上記導通支持部材どうしを、互いに傾いた姿勢となるように連結する、請求項２５に記載のＬＥＤ照明器具用キット。
【請求項２８】
上記ＬＥＤランプは、隣り合う上記導通支持部材どうしを導通させる連結ケーブルを備えており、
上記連結具は、上記連結ケーブルが挿通されたケーブル用貫通孔を有している、請求項２７に記載のＬＥＤ照明器具用キット。
【請求項２９】
上記連結具は、その両端が隣り合う導通支持部材側の双方から臨む姿勢で配置された導通金具を有しており、
上記連結具を挟んで隣り合う上記導通支持部材は、上記導通金具を介して導通している、請求項２７に記載のＬＥＤ照明器具用キット。
【請求項３０】
上記連結具は、上記透光チューブの端部が嵌め込まれるチューブ用凹部を有する、請求項２７ないし２９のいずれかに記載のＬＥＤ照明器具用キット。
【請求項３１】
上記連結具は、上記導通支持部材の端部が嵌め込まれる支持部材用凹部を有する、請求項２７ないし３０のいずれかに記載のＬＥＤ照明器具用キット。
【請求項３２】
上記連結具は、透明である、請求項２５ないし３１のいずれかに記載のＬＥＤ照明器具用キット。
【請求項３３】
請求項８ないし３２のいずれかに記載のＬＥＤ照明器具用キットを備えることを特徴とする、ＬＥＤ照明器具。
【請求項３４】
蛍光灯を点灯させるための蛍光灯用電源部を備える、請求項３３に記載のＬＥＤ照明器具。
【請求項３５】
上記ＬＥＤランプは、上記照明器具取付装置からの直流電力を受けるための主コネクタと、上記蛍光灯用電源部に設けられた蛍光灯用コネクタを接続可能であり、かつ上記複数のＬＥＤチップとは導通しないダミーコネクタと、を有する、請求項３４に記載のＬＥＤ照明器具。
【発明の詳細な説明】
【技術分野】
【０００１】
本発明は、照明器具取付装置、ＬＥＤ照明器具用キット、およびＬＥＤ照明器具に関する。
【背景技術】
【０００２】
いわゆる丸形蛍光灯を用いる照明器具を、天井に備えられた給電コンセントに適切かつ容易に取り付けるための照明器具取付装置が提案されている。特許文献１に開示された照明器具取付装置は、照明器具に取り付けられる下アダプタと、上記給電コンセントに着脱自在である上アダプタとからなる。上記下アダプタは、上記上アダプタに着脱自在であり、これにより、上記照明器具を上記給電コンセントに対して着脱させることができる。上記照明器具には、上記照明器具取付装置を介して上記給電コンセントから、日本国内の場合、交流１００Ｖの商用電力が供給される。上記照明器具は、たとえばインバータ回路を具備する蛍光灯用電源部を有している。上記商用電力は、上記蛍光灯用電源部を経て上記丸形蛍光灯に供給される。
【０００３】
近年、照明器具の光源としてＬＥＤチップが注目されている。ＬＥＤチップを採用する目的としては、省電力化や、長時間使用することによる省資源化が挙げられる。しかし、ＬＥＤチップは直流電力によって発光するものであるため、たとえば、上述した丸形蛍光灯の代替品としてＬＥＤチップを用いたＬＥＤランプを上記照明器具に装着しても適切に点灯させることはできない。ＬＥＤランプ専用の照明器具を導入すれば上記ＬＥＤランプを使用することができるが、丸形蛍光灯用の既存の照明器具をすべて廃却することとなり、省資源化の目的に反する面があることが懸念される。
【先行技術文献】
【特許文献】
【０００４】
【特許文献１】特許第３１３０８６１号公報
【発明の概要】
【発明が解決しようとする課題】
【０００５】
本発明は、上記した事情のもとで考え出されたものであって、省資源化を図ることが可能な照明器具取付装置、ＬＥＤ照明器具用キット、およびＬＥＤ照明器具を提供することをその課題とする。
【課題を解決するための手段】
【０００６】
本発明の第１の側面によって提供される照明器具取付装置は、天井に設けられた給電コンセントに固定するための固定手段と、第１方向を軸方向とする円柱状の電源部ケースと、ＬＥＤ照明器具に設けられた器具側係止部に係止し、上記電源部ケースの上記第１方向における上記固定手段寄り部分から突出するユニット側係止部と、上記給電コンセントから上記固定手段を介して入力された交流電力を、ＬＥＤランプを点灯させうる直流電力に変換し出力するとともに、上記電源部ケースの上記第１方向における上記固定手段とは反対寄り部分に収容されたＬＥＤランプ用電源部と、を備えることを特徴としている。
【０００７】
本発明の好ましい実施の形態においては、上記ユニット側係止部は、上記給電コンセントに取り付けられた状態で天地方向となる上記第１方向に対して直角である第２方向に出没自在とされた１対の係止片を有する。
【０００８】
本発明の好ましい実施の形態においては、上記各係止片は、上記第１方向に並んだ２つの係止爪を有する。
【０００９】
本発明の好ましい実施の形態においては、上記ユニット側係止部は、上記１対の係止片を突出状態とさせる弾性力を付与する弾性力付与手段を有する。
【００１０】
本発明の好ましい実施の形態においては、上記各係止片は、上記弾性力付与手段の弾性力に抗して没入状態とするための操作用突起を有する。
【００１１】
本発明の好ましい実施の形態においては、上記電源部ケースには、上記第１方向視において上記１対の係止片を露出させる１対の操作用溝が形成されている。
【００１２】
本発明の好ましい実施の形態においては、上記第１方向において上記固定手段とは反対側に突出するＬＥＤランプ接続用ケーブルを有する。
【００１３】
本発明の第２の側面によって提供されるＬＥＤ照明器具用キットは、本発明の第１の側面によって提供される照明器具取付装置と、上記照明器具取付装置からの直流電力によって点灯する複数のＬＥＤチップを有するＬＥＤランプと、を備えることを特徴としている。
【００１４】
本発明の好ましい実施の形態においては、上記複数のＬＥＤチップは、円環状に配置されている。
【００１５】
本発明の好ましい実施の形態においては、上記ＬＥＤランプは、各々に上記複数のＬＥＤチップの一部ずつが搭載された複数の導通支持部材を備える。
【００１６】
本発明の好ましい実施の形態においては、上記各導通支持部材は、平面視細長形状の搭載面を有する。
【００１７】
本発明の好ましい実施の形態においては、上記複数のＬＥＤチップは、上記搭載面の長手方向に沿って並んでいる。
【００１８】
本発明の好ましい実施の形態においては、上記複数の導通支持部材は、円環をなす配置とされている。
【００１９】
本発明の好ましい実施の形態においては、上記各導通支持部材は、金属からなり上記搭載面を有する基材、上記搭載面を覆う絶縁層、およびこの絶縁層上に形成された配線パターン、を有する。
【００２０】
本発明の好ましい実施の形態においては、上記各導通支持部材は、上記配線パターンのうち、上記ＬＥＤチップが搭載された領域を露出させ、それ以外の領域を覆うレジスト層を有する。
【００２１】
本発明の好ましい実施の形態においては、上記レジスト層は、白色である。
【００２２】
本発明の好ましい実施の形態においては、上記ＬＥＤランプは、各々が、上記各ＬＥＤチップ、このＬＥＤチップを収容するケースおよびこのケースから露出する実装用端子を有する複数のＬＥＤモジュールを備える。
【００２３】
本発明の好ましい実施の形態においては、上記各ＬＥＤモジュールは、上記ＬＥＤチップを覆うとともに、上記ＬＥＤチップからの光によって励起されることにより上記ＬＥＤチップからの光とは異なる波長の光を発する蛍光材料を含む蛍光樹脂を有する。
【００２４】
本発明の好ましい実施の形態においては、上記複数のＬＥＤチップは、上記導通支持部材に直接搭載されている。
【００２５】
本発明の好ましい実施の形態においては、上記ＬＥＤランプは、上記ＬＥＤチップを覆うとともに、上記ＬＥＤチップからの光によって励起されることにより上記ＬＥＤチップからの光とは異なる波長の光を発する蛍光材料を含む蛍光樹脂を有する。
【００２６】
本発明の好ましい実施の形態においては、上記各導通支持部材は、上記搭載面の長手方向に直角である断面形状が一様であり、上記ＬＥＤランプは、各々が上記各導通支持部材を収容する複数の透光チューブを備える。
【００２７】
本発明の好ましい実施の形態においては、上記各透光チューブは、上記ＬＥＤチップからの光を拡散させつつ透過させる。
【００２８】
本発明の好ましい実施の形態においては、上記各導通支持部材は、上記各透光チューブの長手方向視において中心に対して外側にシフトした位置に設けられている。
【００２９】
本発明の好ましい実施の形態においては、上記各透光チューブは、上記導通支持部材の短手方向両端縁に接する１対の固定リブを有する。
【００３０】
本発明の好ましい実施の形態においては、隣り合う上記透光チューブどうし、および隣り合う上記導通支持部材どうしを連結する連結具を備える。
【００３１】
本発明の好ましい実施の形態においては、上記導通支持部材および上記透光チューブは、それぞれの長手方向両端面が互いに傾いている。
【００３２】
本発明の好ましい実施の形態においては、上記導通支持部材および上記透光チューブは、それぞれの長手方向両端面が互いに平行であり、上記連結具は、隣り合う上記透光チューブどうし、および隣り合う上記導通支持部材どうしを、互いに傾いた姿勢となるように連結する。
【００３３】
本発明の好ましい実施の形態においては、上記ＬＥＤランプは、隣り合う上記導通支持部材どうしを導通させる連結ケーブルを備えており、上記連結具は、上記連結ケーブルが挿通されたケーブル用貫通孔を有している。
【００３４】
本発明の好ましい実施の形態においては、上記連結具は、その両端が隣り合う導通支持部材側の双方から臨む姿勢で配置された導通金具を有しており、上記連結具を挟んで隣り合う上記導通支持部材は、上記導通金具を介して導通している。
【００３５】
本発明の好ましい実施の形態においては、上記連結具は、上記透光チューブの端部が嵌め込まれるチューブ用凹部を有する。
【００３６】
本発明の好ましい実施の形態においては、上記連結具は、上記導通支持部材の端部が嵌め込まれる支持部材用凹部を有する。
【００３７】
本発明の好ましい実施の形態においては、上記連結具は、透明である。
【００３８】
本発明の第３の側面によって提供されるＬＥＤ照明器具は、本発明の第２の側面によって提供されるＬＥＤ照明器具用キットを備えることを特徴としている。
【００３９】
本発明の好ましい実施の形態においては、蛍光灯を点灯させるための蛍光灯用電源部を備える。
【００４０】
本発明の好ましい実施の形態においては、上記ＬＥＤランプは、上記照明器具取付装置からの直流電力を受けるための主コネクタと、上記蛍光灯用電源部に設けられた蛍光灯用コネクタを接続可能であり、かつ上記複数のＬＥＤチップとは導通しないダミーコネクタと、を有する。
【００４１】
このような構成によれば、従来の蛍光灯用の照明器具に上記照明器具取付装置および上記ＬＥＤランプを取り付けることにより、上記ＬＥＤ照明器具を構成することができる。このため、従来の蛍光灯用の照明器具のすべてを廃棄する必要が無く、その大部分を上記ＬＥＤ照明器具の一部として活用することができる。したがって、省資源化を図ることができる。
【００４２】
本発明のその他の特徴および利点は、添付図面を参照して以下に行う詳細な説明によって、より明らかとなろう。
【図面の簡単な説明】
【００４３】
【図１】本発明の第１実施形態に基づくＬＥＤ照明器具用キットを示す平面図である。
【図２】本発明に係る照明器具取付装置を示す斜視図である。
【図３】本発明の第１実施形態に基づくＬＥＤ照明器具の一例を示す平面図である。
【図４】図３のＩＶ−ＩＶ線に沿う断面図である。
【図５】図３のＬＥＤ照明器具に用いられるＬＥＤランプを示す拡大断面図である。
【図６】図５のＶＩ−ＶＩ線に沿う要部断面図である。
【図７】図３のＬＥＤ照明器具を示す概略システム図である。
【図８】図３のＬＥＤ照明器具に用いられるＬＥＤランプの変形例を示す拡大断面図である。
【図９】本発明の第２実施形態に基づくＬＥＤ照明器具用キットを示す平面図である。
【図１０】図９のＸ−Ｘ線に沿う断面図である。
【図１１】図１０のＸＩ−ＸＩ線に沿う要部断面図である。
【図１２】図９のＬＥＤ照明器具用キットのＬＥＤランプの組立を示す要部斜視図である。
【図１３】図９のＬＥＤ照明器具用キットのＬＥＤランプの連結具を示す斜視図である。
【図１４】図１３の連結具の端面に臨む正面図である。
【図１５】本発明の第２実施形態に基づくＬＥＤ照明器具の一例を示す平面図である。
【図１６】図９のＬＥＤ照明器具用キットのＬＥＤランプの他の例の組立を示す要部斜視図である。
【図１７】図１６のＬＥＤ照明器具用キットのＬＥＤランプの連結具を示す斜視図である。
【図１８】図１７の連結具の端面に臨む正面図である。
【図１９】図１７のＸＩＸ−ＸＩＸ線に沿う断面図である。
【発明を実施するための形態】
【００４４】
以下、本発明の好ましい実施の形態につき、図面を参照して具体的に説明する。
【００４５】
図１は、本発明の第１実施形態に基づくＬＥＤ照明器具用キットの一例を示している。本実施形態のＬＥＤ照明器具用キット１１１は、２つのＬＥＤランプ４０１と照明器具取付装置３００とによって構成されている。２つのＬＥＤランプ４０１の一方は、たとえば２０型丸形蛍光灯の代替品として構成されており、他方はたとえば２７型丸形蛍光灯の代替品として構成されている。ＬＥＤ照明器具用キット１１１は、丸形蛍光灯用の既存の照明器具に適用することにより、図３および図４に示すＬＥＤ照明器具１０１を構成するためのものである。
【００４６】
ＬＥＤランプ４０１は、複数の導通支持部材４１０、複数のＬＥＤモジュール４２０、複数の透光チューブ４３０、主コネクタ４５１およびダミーコネクタ４５２を備える。ＬＥＤランプ４０１は、２０型、２７型丸形蛍光灯の代替品として構成されたものに限定されず、既存の照明器具に適合する型式の蛍光灯の代替品として構成されたものであればよい。
【００４７】
導通支持部材４１０は、ＬＥＤランプ４０１の土台となるものである。本実施形態においては、ＬＥＤランプ４０１には、１２個の導通支持部材４１０が用いられている。１２個の導通支持部材４１０は、円環をなすように配置されている。
【００４８】
図５および図６に示すように、各導通支持部材４１０は、基材４１１、絶縁層４１３、配線パターン４１４およびレジスト層４１５を有する。基材４１１は、たとえばアルミなどの金属からなり、細長形状とされている。基材４１１は、細長形状の搭載面４１２を有する。基材４１１のうち搭載面４１２に対して反対側には、複数のフィン４１６が形成されている。複数のフィン４１６は、基材４１１の長手方向に平行に延びている。図１および図３に示すように、本実施形態においては、基材４１１は、長手方向両端面が長手方向に対して傾斜しており、平面視台形状とされている。
【００４９】
絶縁層４１３は、たとえば絶縁性樹脂からなり、搭載面４１２を覆っている。配線パターン４１４は、絶縁層４１３上に形成されている。配線パターン４１４は、複数のＬＥＤモジュール４２０への導通経路を構成する。レジスト層４１５は、配線パターン４１４および絶縁層４１３の一部ずつを除いて覆っており、たとえば白色樹脂からなる。
【００５０】
なお、導通支持部材４１０としては、上述した構成に限定されず、たとえは基材４１１がアルミナなどのセラミックスあるいはガラスエポキシ樹脂などからなるものであってもよい。
【００５１】
複数のＬＥＤモジュール４２０は、ＬＥＤランプ４０１の光源であり、本実施形態においては、複数の導通支持部材４１０に実装されている。各導通支持部材４１０においては、複数のＬＥＤモジュール４２０は、各導通支持部材４１０の長手方向に配列されている。
【００５２】
各ＬＥＤモジュール４２０は、ＬＥＤチップ４２１、ケース４２２、実装用端子４２３および蛍光樹脂４２４を有する。ＬＥＤチップ４２１は、たとえばＧａＮ系半導体からなり、青色光を発する。ケース４２２は、たとえば白色樹脂からなり、ＬＥＤチップ４２１を収容している。実装用端子４２３は、ケース４２２にその一部が覆われており、ＬＥＤチップ４２１側とその反対側とに露出している。実装用端子４２３とＬＥＤチップ４２１とはワイヤによって接続されている。実装用端子４２３は、配線パターン４１４の適所に対して導通接合材によって接合されている。
【００５３】
蛍光樹脂４２４は、ＬＥＤチップ４２１を覆っており、ＬＥＤチップ４２１からの青色光によって励起されることにより黄色光を発する蛍光材料が混入された透明樹脂からなる。なお、上記蛍光材料に代えて、青色光によって励起されることにより、緑色光と赤色光とを発する２種類の蛍光材料が混入された透明樹脂を用いて蛍光樹脂４２４を形成してもよい。また、互いに異なる種類の蛍光樹脂４２４を備える複数種類のＬＥＤモジュール４２０を採用することにより、たとえば昼白色から電球色までの色調の光を発しうる構成としてもよい。
【００５４】
複数の透光チューブ４３０は、各々が１つずつの導通支持部材４１０を収容しており、ＬＥＤモジュール４２０からの光を拡散させつつ透過させるたとえば半透明乳白色の樹脂からなる。透光チューブ４３０は、全体として円管状であり、全長が導通支持部材４１０よりも若干長い。図１および図３に示すように、本実施形態においては、透光チューブ４３０は、長手方向両端面が長手方向に対して傾斜しており、平面視台形状とされている。
【００５５】
透光チューブ４３０は、１対の固定リブ４３１を有する。１対の固定リブ４３１は、透光チューブ４３０の径方向中心に対してシフトした位置に形成されている。１対の固定リブ４３１は、導通支持部材４１０の搭載面４１２の幅方向両端付近に接している。なお、本実施形態においては、搭載面４１２と固定リブ４３１との間に絶縁層４１３およびレジスト層４１５が介在しうるが、固定リブ４３１と実質的に接し、力を伝達し合うべきは搭載面４１２である。これにより、導通支持部材４１０は、透光チューブ４３０内において上記径方向中心に対してシフトしており、同様にＬＥＤモジュール４２０もシフトしている。
【００５６】
図６に示すように、隣り合う透光チューブ４３０どうしは、連結具４４０によって互いに連結されている。連結具４４０は、透光チューブ４３０の端部が嵌まり込む、互いに反対方向を向く浅い２つの凹部を有する。これらの凹部に透光チューブ４３０を嵌めこみ、必要に応じて接着剤を塗布することにより、隣り合う透光チューブ４３０どうしを連結している。連結具４４０は、透光チューブ４３０と同じ半透明乳白色の樹脂、あるいは透明な樹脂からなるものが望ましい。
【００５７】
導通支持部材４１０には、その長手方向両端付近に配線パターン４１４の適所に導通するコネクタ４１７が設けられている。隣り合う導通支持部材４１０のコネクタ４１７どうしは、両端にコネクタ４１８が取り付けられた連結ケーブル４１９を介して互いに導通している。
【００５８】
主コネクタ４５１は、ＬＥＤランプ４０１の受電手段であり、導通支持部材４１０の配線パターン４１４を介して複数のＬＥＤモジュール４２０に導通している。
【００５９】
ダミーコネクタ４５２は、一般的な丸形蛍光灯に設けられた受電用のコネクタと同様の形状とされている。しかし、ダミーコネクタ４５２は、ＬＥＤモジュール４２０には導通していない。
【００６０】
照明器具取付装置３００は、図２〜図４に示すように、電源部ケース３１０、受電フック３１５、ユニット側係止部３２０、ＬＥＤランプ用電源部３３０およびＬＥＤランプ接続用ケーブル３４０を有している。
【００６１】
電源部ケース３１０は、全体として略円柱形状であり、たとえばクリーム色を呈する樹脂からなる。電源部ケース３１０は、ユニット側係止部３２０およびＬＥＤランプ用電源部３３０を収容している。電源部ケース３１０には、１対の操作用溝３１１が形成されている。１対の操作用溝３１１は、電源部ケース３１０の径方向両端に配置されており、図２における電源部ケース３１０の下方に開口している。
【００６２】
受電フック３１５は、天井８００に設けられた給電コンセント８０１に係合可能とされており、たとえば金属バーをカギ状に加工したものである。受電フック３１５は、照明器具取付装置３００を給電コンセント８０１に対して固定するとともに、給電コンセント８０１から商用電力を受電するための導通経路を構成する。
【００６３】
ユニット側係止部３２０は、照明器具取付装置３００にＬＥＤ照明器具１０１を係止させるためのものであり、本実施形態においては、１対の係止片３２１およびばね３２４によって構成されている。１対の係止片３２１は、電源部ケース３１０から径方向において出没自在とされている。
【００６４】
各係止片３２１は、２つの係止爪３２２および操作用突起３２３を有する。２つの係止爪３２２は、図４における図中上下方向に並んでおり、下方に位置する水平面および上方に位置する傾斜面を有する。操作用突起３２３は、図中下方に突出している。図２に示すように、操作用突起３２３は、電源部ケース３１０の操作用溝３１１の図中上端において操作可能に露出している。ばね３２４は、係止片３２１に対して径方向内方に設けられており、係止片３２１を径方向外方へと向かわせる弾性力を付与する。ばね３２４は、本発明でいう弾性力付与手段の一例である。
【００６５】
ＬＥＤランプ用電源部３３０は、図４に示すようにたとえば電源基板３３１および複数の電子部品３３２によって構成されている。図７に示すように、ＬＥＤランプ用電源部３３０は、給電コンセント８０１から受けた交流１００Ｖの商用電力をＬＥＤランプ４０１（ＬＥＤモジュール４２０）を点灯させるのに適した直流電力に変換する機能を果たすものであり、たとえば交流電力を直流電力に変換するＡＣ／ＤＣ回路、直流電圧などを調整する２つのＤＣ／ＤＣ回路、制御用ＩＣを含んだ構成とされている。なお、ＬＥＤランプ用電源部３３０の平面視における外形は、電源部ケース３１０の平面視における外形を超えないことが望ましい。このような構成は、蛍光灯用電源部２２０との干渉を回避するのに好ましい。
【００６６】
ＬＥＤランプ接続用ケーブル３４０は、ＬＥＤランプ用電源部３３０からの直流電力を２つのＬＥＤランプ４０１に供給するための経路である。ＬＥＤランプ接続用ケーブル３４０の先端には、コネクタ３４１が設けられている。コネクタ３４１は、ＬＥＤランプ４０１の主コネクタ４５１に接続される。ＬＥＤランプ接続用ケーブル３４０は、電源部ケース３１０の受電フック３１５とは反対側の面から突出している。また、ＬＥＤランプ接続用ケーブル３４０を固定するためのコネクタを電源部ケース３１０に設ける場合、電源部ケース３１０の受電フック３１５とは反対側の面に設けることが好ましい。このような構成に予冷、ＬＥＤランプ接続用ケーブル３４０の長さを短縮することができる。あるいは、電源部ケース３１０に回転自在である側面を設け、この側面にＬＥＤランプ接続用ケーブル３４０やこれを固定するための上記コネクタを配置してもよい。
【００６７】
ＬＥＤ照明器具１０１は、既存の丸形蛍光灯用の照明器具にＬＥＤ照明器具用キット１１１が適用されたものであり、上述した照明器具取付装置３００および２つのＬＥＤランプ４０１のほかに、天板２０１、器具側係止部２１０、蛍光灯用電源部２２０および透光カバー２３１を備えて構成されている。
【００６８】
天板２０１は、ＬＥＤ照明器具１０１の土台となるものであり、たとえば略円形状の金属板からなる。天板２０１には、たとえば複数の固定フック２０２が設けられている。固定フック２０２は、たとえば２０型および２７型の円形蛍光灯を保持するためのものであり、本実施形態においては、２つのＬＥＤランプ４０１を保持するために用いられる。なお、図３においては、２０型および２７型の円形蛍光灯が想像線で示されている。天板２０１には、給電コンセント８０１を臨ませ、照明器具取付装置３００を挿通させる円形開口が設けられている。
【００６９】
器具側係止部２１０は、照明器具取付装置３００のユニット側係止部３２０と係合することにより、ＬＥＤ照明器具１０１を給電コンセント８０１に対して固定するためのものであり、本実施形態においては、上述した天板２０１の円形開口にはめ込まれた略円環形状の部材である。器具側係止部２１０には、係止突起２１１が設けられている。係止突起２１１は、径方向内方に突出しており、ユニット側係止部３２０の１対の係止片３２１の２つの係止爪３２２のいずれかに選択的に係合する。なお、従来の丸形蛍光灯を装着して使用する場合、器具側係止部２１０は、従来技術の一例として説明したような、照明器具取付装置３００のユニット側係止部３２０と同様の構成を有し、ＬＥＤランプ用電源部３３０を備えない照明器具取り付け具の上アダプタと係合する。
【００７０】
蛍光灯用電源部２２０は、給電コンセント８０１からの商用電力を受けて、丸形蛍光灯を点灯させる機能を果たす。蛍光灯用電源部２２０からは、受電ケーブル２２３が延びているが、この受電ケーブル２２３は、上述した従来の照明器具取り付け具の上アダプタに接続されるものであり、本実施形態では使用されない。また、蛍光灯用電源部２２０からは２つの蛍光灯用ケーブル２２１が延びている。各蛍光灯用ケーブル２２１の先端には、蛍光灯用コネクタ２２２が取り付けられている。蛍光灯用コネクタ２２２は、丸形蛍光灯のコネクタに接続可能である。本実施形態においては、蛍光灯用コネクタ２２２は、ＬＥＤランプ４０１のダミーコネクタ４５２に接続される。上述した通り、ダミーコネクタ４５２は、ＬＥＤモジュール４２０には導通していない。このため、本実施形態においては、蛍光灯用電源部２２０は、一切の機能を果たさない。
【００７１】
透光カバー２３１は、ＬＥＤ照明器具１０１の下方におけるほぼ全面に現れるものであり、たとえばＬＥＤランプ４０１からの光を拡散させつつ透過させる半透明乳白色の樹脂からなる。本実施形態においては、透光カバー２３１には、照明器具取付装置３００を臨ませうる開口が設けられている。この開口は、ＬＥＤ照明器具１０１の取り外し作業において使用者が照明器具取付装置３００に対する操作を行いやすくするために設けられている。使用者は、この開口を通して手を照明器具取付装置３００に到達させる。そして、指先を操作用溝３１１に沿って上昇させ、この指先によってユニット側係止部３２０の操作用突起３２３を操作する。通常の使用状態においては、この開口は、センターキャップ２３２によって覆われている。なお、センターキャップ２３２および開口を備えない透光カバー２３１を採用してもよい。この場合、ＬＥＤ照明器具１０１の脱着作業を行う際には、透光カバー２３１が外される。
【００７２】
次に、照明器具取付装置３００、ＬＥＤ照明器具用キット１１１、およびＬＥＤ照明器具１０１の作用について説明する。
【００７３】
本実施形態によれば、従来の蛍光灯用の照明器具に照明器具取付装置３００およびＬＥＤランプ４０１を取り付けることにより、ＬＥＤ照明器具１０１を構成することができる。このため、従来の蛍光灯用の照明器具のすべてを廃棄する必要が無く、その大部分をＬＥＤ照明器具１０１の一部として活用することができる。したがって、省資源化を図ることができる。
【００７４】
１対の係止片３２１が出没自在であることや、係止片３２１が２つの係止爪３２２を有する点などは、従来の照明器具取り付け器具として広く普及しているタイプのものと取付原理を共通とするのに適している。
【００７５】
ＬＥＤランプ用電源部３３０を下方に配置し、ユニット側係止部３２０を上方に配置することにより、ＬＥＤ照明器具１０１が天井８００から不当に離れてしまうことを防止することができる。操作用溝３１１を設けることにより、操作用突起３２３を適切に操作することができる。
【００７６】
複数の直状の導通支持部材４１０によってＬＥＤランプ４０１を構成することにより、例えば円弧形状の導通支持部材４１０を用いる場合と比べて製造工程における歩留まりを向上させることができる。直状の導通支持部材４１０は、円管状の透光チューブ４３０に容易に装填できるという利点がある。透光チューブ４３０の１対の固定リブ４３１は、導通支持部材４１０の容易かつ確実な装填に適している。ＬＥＤモジュール４２０を透光チューブ４３０の中心に対してシフトさせることにより、下方から観察した場合に透光チューブ４３０のより広い領域を光らせることができる。
【００７７】
ダミーコネクタ４５２を備えることにより、蛍光灯用電源部２２０から延びる蛍光灯用ケーブル２２１が意図しない姿勢で垂れ下がり、ＬＥＤランプ４０１からの光をさえぎってしまうことを回避することができる。
【００７８】
図８は、ＬＥＤランプ４０１の変形例を示している。本変形例においては、ＬＥＤチップ４２１が導通支持部材４１０に直接搭載されている。より詳しくは、ＬＥＤチップ４２１は、接合材によって導通支持部材４１０に接合されており、ワイヤによって配線パターン４１４に接続されている。ＬＥＤチップ４２１は、たとえばドーム状の蛍光樹脂４２５によって覆われている。ＬＥＤチップ４２１の配置は、上述した実施形態におけるＬＥＤモジュール４２０と同様である。
【００７９】
このような変形例によっても、省資源化を図りつつＬＥＤ照明器具１０１を構成することができる。特に、ＬＥＤモジュール４２０を用いる場合と比べて、構成要素を削減することが可能である。これは、省資源化に好ましい。
【００８０】
図９〜図１９は、本発明の他の実施形態を示している。なお、これらの図において、上記実施形態と同一または類似の要素には、上記実施形態と同一の符号を付している。
【００８１】
図９〜図１１は、本発明の第２実施形態に基づくＬＥＤ照明器具用キットを示している。本実施形態のＬＥＤ照明器具用キット１１２は、上述したＬＥＤランプ４０１とは部分的な構成が異なるＬＥＤランプ４０２を備えている。
【００８２】
図９に示すように、ＬＥＤランプ４０２においては、基材４１１（導通支持部材４１０）および透光チューブ４３０は、各々の長手方向端面が長手方向に対して垂直であり、平面視長矩形状とされている。また、図１０に示すように、基材４１１は、断面Ｔ字状とされている。
【００８３】
図１１〜図１４に示すように、本実施形態の連結具４４０は、２つの端面４４１および周側面４４２を有している。２つの端面４４１は、互いに傾いた位置関係とされており、本実施形態においては、互いのなす角度が３０度とされている。これは、１２個の透光チューブ４３０および１２個の導通支持部材４１０を円環状に連結することに対応している。周側面４４２は、２つの端面４４１を繋ぐ滑らかな曲面とされている。連結具４４０は、２つのチューブ用凹部４４３、２つの支持部材用凹部４４４およびケーブル用貫通孔４４５を有している。２つのチューブ用凹部４４３および２つの支持部材用凹部４４４は、２つの端面４４１からそれぞれ凹んでいる。各チューブ用凹部４４３は、円形状であり、透光チューブ４３０が嵌め込まれる。支持部材用凹部４４４は、略Ｔ字状であり、導通支持部材４１０が嵌め込まれる。本実施形態においては、チューブ用凹部４４３と支持部材用凹部４４４は、互いにつながったものとされているが、それぞれが分離されたものとして形成されてもよい。ケーブル用貫通孔４４５は、２つの端面４４１の双方に開口しており、連結具４４０を貫通している。本実施形態においては、連結具４４０は、透明なポリカーボネイト樹脂、ＡＢＳ樹脂、またはアクリル樹脂などからなる。なお、連結具４４０は、透明であることがＬＥＤランプ４０２の光量増加に好ましいが、これに限定されず、半透明あるいは不透明な材料によって形成されてもよい。
【００８４】
図１２に示すように、ＬＥＤランプ４０２の組立においては、連結具４４０のケーブル用貫通孔４４５に、連結ケーブル４１９を挿通させる。連結ケーブル４１９は、図１１に示すように、導通支持部材４１０に設けられた配線パターン４１４の一部である端子４１４ａにたとえば半田付けされる。そして、導通支持部材４１０を連結具４４０の支持部材用凹部４４４に嵌めこむ。この際、接着剤を適宜用いてもよい。また透光チューブ４３０をチューブ用凹部４４３に嵌めこむ。この際にも、接着剤を適宜用いてもよい。この組立を順次繰り返すことにより、ＬＥＤランプ４０２が完成する。
【００８５】
図１５は、ＬＥＤ照明器具用キット１１２によって構成されたＬＥＤ照明器具１０２を示している。上述したＬＥＤ照明器具１０１との相違は、まず、ダミーコネクタ４５２を備えていない点である。このため、蛍光灯用コネクタ２２２は、いずれの箇所にも装着されていない。蛍光灯用ケーブル２２１は、たとえば図示しない固定フックによって適宜固定されている。次に、ＬＥＤランプ４０２においては、主コネクタ４５１の位置がＬＥＤランプ４０１と異なっている。各ＬＥＤランプ４０２においては、主コネクタ４５１は、複数の連結具４４０の一つに設けられている。
【００８６】
このような実施形態によれば、基材４１１および透光チューブ４３０を製造する際には、複数の基材４１１および複数の透光チューブ４３０を作成可能な中間品を用意し、これらを長手方向に分割するように切断することによって複数の基材４１１および複数の透光チューブ４３０を得ることができる。したがって、ＬＥＤランプ４０２、ひいてはＬＥＤ照明器具用キット１１２の製造効率を高めることができる。
【００８７】
隣り合う導通支持部材４１０どうし、および隣り合う透光チューブ４３０どうしの連結角度は、連結具４４０によって規定される。このため、異なる径のＬＥＤランプ４０２を構成するにあたり、導通支持部材４１０および透光チューブ４３０を共通の仕様とし、連結具４４０による連結角度を適宜変更するといった手法が可能となる。
【００８８】
基材４１１の断面形状がＴ字形状であることにより、基材４１１が連結具４４０に対して、回転や移動することが阻止される。これは、導通支持部材４１０を連結具４４０に対して正確に位置決めし、ＬＥＤランプ４０２を所望の大きさおよび形状に仕上げるのに好ましい。
【００８９】
ケーブル用貫通孔４４５を備えることにより、隣り合う導通支持部材４１０どうしを、連結ケーブル４１９によって適切に導通させることができる。
【００９０】
連結具４４０が透明であることにより、ＬＥＤモジュール４２０からの光を連結具４４０が不当に遮ったり吸収したりすることを回避することが可能である。これは、ＬＥＤランプ４０２の光量増加に好ましい。
【００９１】
図１６は、ＬＥＤランプ４０２の他の例の組立を示している。この例においては、図１６〜図１９に示すように、連結具４４０に２つの導通金具４４６が設けられている。一方、本例においては、ケーブル用貫通孔４４５は、形成されていない。導通金具４４６は、２つの端面４４１の双方を臨む側に露出しており、連結具４４０を貫通している。導通金具４４６は、たとえば金属製の細い帯状部材を折り曲げることによって形成されており、その両端に、２つの当接部４４７が形成されている。当接部４４７は、支持部材用凹部４４４の図中上方に配置されており、その下端が支持部材用凹部４４４に若干進入する構成とされている。図１６に示すように、本実施形態の導通支持部材４１０には、その長手方向端部付近に端子４１４ａが配置されている。
【００９２】
導通支持部材４１０の長手方向端部を連結具４４０の支持部材用凹部４４４に挿入すると、導通支持部材４１０の端子４１４ａに導通金具４４６の当接部４４７が当接する。これにより、連結具４４０を挟んで隣り合う導通支持部材４１０の配線パターン４１４どうしが導通することとなる。
【００９３】
このような実施形態によれば、導通支持部材４１０を連結具４４０に取り付けることによって、隣り合う導通支持部材４１０どうしを適切に導通させることができる。当接部４４７は、金属製の細い帯状部材を折り曲げることによって形成されており、図１９における上下方向に弾性変形しうる。これにより、当接部４４７を導通支持部材４１０の端子４１４ａに対して押し付ける弾性力を付勢することが可能であり、隣り合う導通支持部材４１０どうしをより確実に導通させることができる。
【００９４】
なお、ＬＥＤランプ４０２は、複数のＬＥＤモジュール４２０を備える構成に代えて、図８に示すように、複数のＬＥＤチップ４２１を導通支持部材４１０に直接搭載する構成としてもよい。また、透光チューブ４３０に図８に示す固定リブ４３１を適宜設けてもよい。
【００９５】
本発明に係る照明器具取付装置、ＬＥＤ照明器具用キット、およびＬＥＤ照明器具は、上述した実施形態に限定されるものではない。本発明に係る照明器具取付装置、ＬＥＤ照明器具用キット、およびＬＥＤ照明器具の各部の具体的な構成は、種々に設計変更自在である。
【符号の説明】
【００９６】
１０１，１０２  ＬＥＤ照明器具
１１１，１１２  ＬＥＤ照明器具用キット
２０１  天板
２０２  固定フック
２１０  器具側係止部
２１１  係止突起
２２０  蛍光灯用電源部
２２１  蛍光灯用ケーブル
２２２  蛍光灯用コネクタ
２２３  受電ケーブル
２３１  透光カバー
２３２  センターキャップ
３００  照明器具取付装置
３１０  電源部ケース
３１１  操作用溝
３１５  受電フック（固定手段）
３２０  ユニット側係止部
３２１  係止片
３２２  係止爪
３２３  操作用突起
３２４  ばね（弾性力付与手段）
３３０  ＬＥＤランプ用電源部
３３１  電源基板
３３２  電子部品
３４０  ＬＥＤランプ接続用ケーブル
３４１  コネクタ
４０１，４０２  ＬＥＤランプ
４１０  導通支持部材
４１１  基材
４１２  搭載面
４１３  絶縁層
４１４  配線パターン
４１４ａ  端子
４１５  レジスト層
４１６  フィン
４１７  コネクタ
４１８  コネクタ
４１９  連結ケーブル
４２０  ＬＥＤモジュール
４２１  ＬＥＤチップ
４２２  ケース
４２３  実装用端子
４２４，４２５  蛍光樹脂
４３０  透光チューブ
４３１  固定リブ
４４０  連結具
４４１  端面
４４２  側周面
４４３  チューブ用凹部
４４４  支持部材用凹部
４４５  ケーブル用貫通孔
４４６  導通金具
４４７  当接部
４５１  主コネクタ
４５２  ダミーコネクタ
８００  天井
８０１  給電コンセント
８１０  商用電源
【図１】
2013225438.tif 000003
【図２】
2013225438.tif 000004
【図３】
2013225438.tif 000005
【図４】
2013225438.tif 000006
【図５】
2013225438.tif 000007
【図６】
2013225438.tif 000008
【図７】
2013225438.tif 000009
【図８】
2013225438.tif 000010
【図９】
2013225438.tif 000011
【図１０】
2013225438.tif 000012
【図１１】
2013225438.tif 000013
【図１２】
2013225438.tif 000014
【図１３】
2013225438.tif 000015
【図１４】
2013225438.tif 000016
【図１５】
2013225438.tif 000017
【図１６】
2013225438.tif 000018
【図１７】
2013225438.tif 000019
【図１８】
2013225438.tif 000020
【図１９】
2013225438.tif 000021